(57)【要約】【課題】本体を見る事無く本体が操作手段で操作されたことを明確に認識できる酸素富化機を提供する。【解決手段】本体１に内蔵され酸素富化空気を発生する酸素富化膜ユニット（図示せず）と、前記酸素富化空気を前記本体１から吐出する吐出口部１２と、前記酸素富化膜ユニット１２の動作を制御する運転スイッチ３２と、前記運転スイッチ３２が操作されたことを報知する表示ランプ３３を設けたもので、車両（図示せず）内で酸素富化機を使用する際に、車両の運転中でも、酸素富化機を見なくとも、表示ランプ３３で運転スイッチ３２が操作されたことを明確に認識できるので、非常に使用勝手が良い。【選択図】図１
2006122076.tif 000002
【特許請求の範囲】
【請求項１】
本体に内蔵され酸素富化空気を発生する酸素富化手段と、前記酸素富化空気を前記本体から吐出する吐出口部と、前記酸素富化手段の動作を制御する操作手段と、前記操作手段が操作されたことを報知する報知手段を設けた酸素富化機。
【請求項２】
酸素富化手段を酸素富化膜で構成し、前記酸素富化手段に空気を供給する送風手段と、前記空気の一部を前記酸素富化手段内に吸引する吸引手段を設けた請求項１に記載の酸素富化機。
【請求項３】
報知手段は、音及び／または音声で報知する請求項１又は２に記載の酸素富化機。
【請求項４】
報知手段を表示手段で形成した請求項１又は２に記載の酸素富化機。
【請求項５】
操作手段を本体から分離して配設した請求項１〜４のいずれか１項に記載の酸素富化機。
【請求項６】
報知手段と操作手段を有すると共に、本体と分離された操作制御手段を備え、前記本体と前記操作制御手段とを電気的に接続する配線ケーブルを、前記本体及び／または前記操作制御手段と着脱自在とした請求項１〜５のいずれか１項に記載の酸素富化機。
【請求項７】
操作手段からの制御信号を伝達または送受信する制御手段を、本体及び操作手段側に配設した請求項５に記載の酸素富化機。
【請求項８】
報知手段と操作手段を有すると共に、本体と分離された操作制御手段を備え、前記操作制御手段を前記本体に着脱自在とした請求項１〜５及び７のいずれか１項に記載の酸素富化機。
【請求項９】
本体に内蔵され酸素富化空気を発生する酸素富化手段と、前記酸素富化空気を前記本体から吐出する吐出口部と、前記酸素富化手段の動作を制御する操作手段とを備え、前記操作手段が位置する高さと、酸素富化機が使用される車両内の座席の肘掛部の高さとを略同一にした酸素富化機。
【請求項１０】
本体に内蔵され酸素富化空気を発生する酸素富化手段と、前記酸素富化空気を前記本体から吐出する吐出口部と、前記本体の前部に配され前記酸素富化手段の動作を制御する操作手段とを備え、前記本体を、その前後方向が、酸素富化機が使用される車両の前後方向と同一になるように設置した酸素富化機。
【請求項１１】
本体に内蔵され酸素富化空気を発生する酸素富化手段と、前記酸素富化空気を前記本体から吐出する吐出口部と、前記本体の後部に配され前記酸素富化手段の動作を制御する操作手段とを備え、前記本体を、その前後方向が、酸素富化機が使用される車両の前後方向と同一になるように設置した酸素富化機。
【請求項１２】
操作手段の近傍に飲料用容器を保持する保持部を配置した請求項１〜１１のいずれか１項に記載の酸素富化機。
【発明の詳細な説明】
【技術分野】
【０００１】
本発明は、酸素富化空気を使用者に提供する酸素富化機に関するものである。
【背景技術】
【０００２】
従来の酸素富化機は、空気中の酸素を濃縮して酸素富化空気を発生させる装置本体と、これに接続された酸素富化空気を吐出する吐出口と、音声発生源と、ヘッドホンタイプの音声出力部等を備え、前記酸素吐出口と前記音声出力部を一体にし、前記酸素吐出口を人体の口の部分に位置させることで酸素吸入できるようにしていた（例えば、特許文献１参照）。
【特許文献１】特開平３−６３０６７号公報
【発明の開示】
【発明が解決しようとする課題】
【０００３】
しかしながら前記従来の酸素富化機の構成では、酸素富化機の運転を操作しても、きちんと間違い無く操作されたどうかが分からないという課題があった。特に自動車に搭載して使用する場合にはエンジン音等によって酸素富化機の動作音が聞き取れないためまったくわからないという場合があった。
【０００４】
本発明は、前記従来の課題を解決するもので、操作手段が操作されたことを明確に判別することができる酸素富化機を提供することを目的とする。
【課題を解決するための手段】
【０００５】
前記従来の課題を解決するために、本発明の酸素富化機は、本体に内蔵され酸素富化空気を発生する酸素富化手段と、前記酸素富化空気を前記本体から吐出する吐出口部と、前記酸素富化手段の動作を制御する操作手段と、前記操作手段が操作されたことを報知する報知手段を設けたもので、車両内で酸素富化機を使用する際に、車両の運転中でも、酸素富化機を見なくとも、報知手段で操作手段が操作されたことを明確に認識できるので、非常に使用勝手が良い。
【０００６】
また、本発明の酸素富化機は、本体に内蔵され酸素富化空気を発生する酸素富化手段と、前記酸素富化空気を前記本体から吐出する吐出口部と、前記酸素富化手段の動作を制御する操作手段とを備え、前記操作手段が位置する高さと、酸素富化機が使用される車両内の座席の肘掛部の高さとを略同一にしたもので、車両を運転しながら酸素富化機の運転操作が楽にできるものである。
【０００７】
また、本発明の酸素富化機は、本体に内蔵され酸素富化空気を発生する酸素富化手段と、前記酸素富化空気を前記本体から吐出する吐出口部と、前記本体の前部に配され前記酸素富化手段の動作を制御する操作手段とを備え、前記本体を、その前後方向が、酸素富化機が使用される車両の前後方向と同一になるように設置するもので、車を運転しながらの酸素富化機の運転操作が楽にできるものである。
【０００８】
また、本発明の酸素富化機は、本体に内蔵され酸素富化空気を発生する酸素富化手段と、前記酸素富化空気を前記本体から吐出する吐出口部と、前記本体の後部に配され前記酸素富化手段の動作を制御する操作手段とを備え、前記本体を、その前後方向が、酸素富化機が使用される車両の前後方向と同一になるように設置するもので、後部座席に座った使用者が酸素富化機の運転操作が楽にできるものである。
【発明の効果】
【０００９】
本発明の酸素富化機は、操作手段が操作されたことを明確に認識できるので、車両を運転しながらも快適に使用する事ができるものである。
【発明を実施するための最良の形態】
【００１０】
第１の発明は、本体に内蔵され酸素富化空気を発生する酸素富化手段と、前記酸素富化空気を前記本体から吐出する吐出口部と、前記酸素富化手段の動作を制御する操作手段と、前記操作手段が操作されたことを報知する報知手段を設けたもので、車両内で酸素富化機を使用する際に、車両の運転中でも、酸素富化機を見なくとも、報知手段で操作手段が操作されたことを明確に認識できるので、非常に使用勝手が良い。
【００１１】
第２の発明は、特に、第１の発明の酸素富化手段を酸素富化膜で構成し、前記酸素富化手段に空気を供給する送風手段と、前記空気の一部を前記酸素富化手段内に吸引する吸引手段を設けたもので、送風手段により、新鮮な空気が酸素富化膜に供給されるので効率良く酸素富化空気を得る事ができると共に、酸素富化膜を使用しているのでコンパクト化できるとともに、安価に提供できる効果がある。
【００１２】
第３の発明は、特に、第１又は第２の発明の報知手段は、音及び／または音声で報知するもので、音や音声によって本体が操作手段によって操作されたかどうかが明確に判別できるものである。
【００１３】
第４の発明は、特に、第１又は第２の発明の報知手段を表示手段で形成したもので、ＬＥＤなどの発光体の光によって、本体の運転が操作手段によって操作されたかどうかが明確に判別できるものである。
【００１４】
第５の発明は、特に、第１〜４のいずれか一つの発明の操作手段を本体から分離して配設したもので、本体から離れたところから本体の運転、停止等の制御操作を容易に行うことができる。
【００１５】
第６の発明は、特に、第１〜５のいずれか一つの発明の報知手段と操作手段を有すると共に、本体と分離された操作制御手段を備え、前記本体と前記操作制御手段とを電気的に接続する配線ケーブルを、前記本体及び／または前記操作制御手段と着脱自在としたもので、操作制御手段と本体間の配線処理の作業を容易に行うことができる効果がある。
【００１６】
第７の発明は、特に、第５の発明の操作手段からの制御信号を伝達または送受信する制御手段を、本体及び操作手段側に配設したもので、本体から分離された操作手段で本体を無線で遠隔操作する事ができるので、本体の設置場所にかかわらず操作手段を使用者の手の届く所で、見やすく操作しやすい位置に自由に配置することが出来、使用勝手が非常に良いものである。
【００１７】
第８の発明は、特に、第１〜５及び７のいずれか一つの発明の報知手段と操作手段を有すると共に、本体と分離された操作制御手段を備え、前記操作制御手段を前記本体に着脱自在としたもので、操作制御手段を車両内の各部に着脱自在に取り付けて、または放置して使用することができる。
【００１８】
第９の発明は、本体に内蔵され酸素富化空気を発生する酸素富化手段と、前記酸素富化空気を前記本体から吐出する吐出口部と、前記酸素富化手段の動作を制御する操作手段とを備え、前記操作手段が位置する高さと、酸素富化機が使用される車両内の座席の肘掛部の高さとを略同一にしたもので、車両を運転しながらの酸素富化機の運転操作が楽にできるものである。
【００１９】
第１０の発明は、本体に内蔵され酸素富化空気を発生する酸素富化手段と、前記酸素富化空気を前記本体から吐出する吐出口部と、前記本体の前部に配され前記酸素富化手段の動作を制御する操作手段とを備え、前記本体を、その前後方向が、酸素富化機が使用される車両の前後方向と同一になるように設置するもので、車両の運転手は、車を運転しながらの酸素富化機の運転操作が楽にできるものである。
【００２０】
第１１の発明は、本体に内蔵され酸素富化空気を発生する酸素富化手段と、前記酸素富化空気を前記本体から吐出する吐出口部と、前記本体の後部に配され前記酸素富化手段の動作を制御する操作手段とを備え、前記本体を、その前後方向が、酸素富化機が使用される車両の前後方向と同一になるように設置するもので、後部座席に座った使用者が酸素富化機の運転操作が楽にできるものである。
【００２１】
第１２の発明は、特に、第１〜１１のいずれか一つの発明の操作手段の近傍に飲料用容器を保持する保持部を配置したもので、酸素富化機の運転操作が楽に操作できると共に飲料用容器を取り易い位置に置くことができるものである。
【００２２】
以下、本発明の実施の形態について、図面を参照しながら説明する。なお、この実施の形態によって本発明が限定されるものではない。
【００２３】
（実施の形態１）
以下、本発明を車載用酸素富化機として具体化した例を説明する。
【００２４】
図１〜１５は本発明の第１の実施に形態における酸素富化機を示す。図１〜図１５において、酸素富化機の本体１の内部には、酸素の濃度を高め、いわゆる酸素富化空気を発生する酸素富化手段として酸素富化膜ユニット２を設けている。前記酸素富化膜ユニット２は有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態における酸素富化機の酸素富化膜ユニット２を通過後の酸素富化空気における酸素が占める割合は約３０％（窒素約７０％）である。
【００２５】
また、前記酸素富化膜ユニット２は、図８、図９に示す如く、メッシュ構造のフレーム３の両側面に略長方形の酸素富化膜４を貼って両膜間を通路としたモジュール５を、複数枚積層した略直方体のユニット構造となっており、フレーム３の通路内を吸引することにより、酸素富化膜４の周辺を流れる空気の一部が酸素富化膜４を通過してフレーム３の通路内に入りこみ、酸素富化空気が得られ、この得られた酸素富化空気を酸素富化膜ユニット２の唯一の排出口であるユニット排出口６から集中排気している。
【００２６】
また、本体１の内部には、本体１の背面に設けた吸気口７から本体１内に外気を吸引し、酸素富化膜ユニット２に送った後、酸素富化膜４を通過しフレーム３の通路内に吸引された空気を除いた外気を、本体１の側面に設けた排気口８から外部に排出するための送風部であるファン９を有している。また前記ファン９は、酸素富化膜ユニット２の下流側で、排気口８の近傍に設けられており、ファン９に対して、酸素富化膜ユニット２の反対側には回路２０を、その基板（図示せず）がフレーム３と平行な方向になるように取り付けられている。
【００２７】
１０は、モーター１０ａで駆動されると共に吸引手段となるポンプで、本体１内の酸素富化膜ユニット２の下方に設けられ、回転軸（図示せず）の両端に冷却用のファン１０ｂを有し、本体１に設けた冷却用吸気口３６より外気を吸引してモーター１０ａを冷却すると共に、酸素富化膜ユニット２の周辺の空気を酸素富化膜４を通してフレーム３の通路内に吸引して下流側に送る。そして更にこのポンプ１０は、酸素富化膜４を通過した後の酸素富化空気を、下流側の消音パイプ１１を介して、本体１の側面に設けられた吐出口部１２に送り、さらに吐出口部１２と連結される後述の酸素富化空気吐出手段に送り込んでいる。また前記ポンプ１０には、酸素富化膜４の通過圧損に対抗して酸素富化空気の流量を稼ぐために運転時の圧力が高いベローズポンプが用いられている。
【００２８】
更に、前記ポンプ１０は図６に示す如く板金３７に取りつけられ、板金３７は、防振材３８、３９を介して本体１の底部ボス１ａに嵌合し、底部ボス１ａからの抜けを防止するワッシャ４０、ビス４１で留められている。さらに本体１は防振機能を持つ脚４２を底面に設けている。ポンプ１０の駆動源であるモータ１０ａの過熱防止のための温度ヒューズ４３は、クッション４５によってモータ１０ａに接触する方向に付勢して取り付けられている。
【００２９】
１４は、本体１を、車両１６内の床面等に取り付ける際の取付け具であり、本体１の前後方向を車両１６の前後方向と同一になるよう設置し、操作手段である運転スイッチ３３を有する操作部６０を本体１の前部に配置した構成とし、また操作部６０の高さは、車両１６内の座席に設けられた肘掛部６１の高さと略同一になるように構成されている。
【００３０】
また、図１２に示すように、本体１内のポンプ１０と、酸素富化膜ユニット２のユニット排出口６との間の経路において、外気導入切替用の電磁弁４７を設け、運転終了前に約１分間、電磁弁４７を開いて酸素富化膜４を通過していない外気を吸入してポンプ１０により下流側に送る送風運転を行なうことにより、配管（図示せず）内等に滞留した高湿度の空気を換気し、水滴が発生した場合は、後述する「液だまり」まで追い出し、途中の経路が乾きやすいように構成してある。また、図１２に示すように外気導入切替用の電磁弁４７の上流には、ＨＥＰＡフィルター４８が設けられており、外気を導入する際に、前記ＨＥＰＡフィルター４８により、０．３ミクロン以上の粒子を９９．７％除去できるように構成されている。なお、上記送風運転はタイマー（図示せず）による通常運転の終了後、所定時間（例えば、７秒）の停止状態を経て自動的に実行される。またタイマーによる通常運転を途中で停止するため切スイッチ（図示せず）を操作した時も同様に送風運転を経て停止する。
【００３１】
一方、図１０に示す１３は、本体１側面に回動可能に取り付けた曲がり管によって構成された吐出口部１２に送られた酸素富化空気を、使用者に供給するための酸素富化空気吐出手段となるヘッドセットユニットであり、前記ヘッドセットユニット１３は使用者が酸素富化空気を吸引するための吐出口２１を有している。また、本体１の側面に設けた吐出口部１２とヘッドセットユニット１３との間の経路には、液だまり２２と、吐出口部１２と前記液だまり２２とを接続する塩化ビニル等の柔軟な透明チューブからなる第一の連結管２３と、前記液だまり２２と前記ヘッドセットユニット１３を接続する塩化ビニル等の透明チューブからなる柔軟な第二の連結管２４とを備えている。そして上記第一の連結管２３と、第二の連結管２４は抗菌剤か帯電防止剤あるいはその両方を含んでおり、それぞれは液だまり２２に着脱自在に接続されている。
【００３２】
また、前記ヘッドセットユニット１３は、耳当て部左２５と、耳当て部右２６と、耳当て部左２５と耳当て部右２６を接続するヘッドバンド２７と、酸素富化空気の吐出口２１と、耳当て部左２５の底面２８に着脱自在に連結され前記底面２８と吐出口２１を接続すると共に折り曲げ自在に設けられた可橈性自在継手部２９とを備えている。また、液だまり２２にその一端を接続された前記第二の連結管２４も、前記可橈性自在継手部２９同様、その他端を、ヘッドセットユニット１３の耳当て部左２５の底面２８に着脱自在に連結されている。
【００３３】
前記液だまり２２はＯリングで気密を保ちながら、ねじ方式あるいは圧入方式等により、その本体部分が本体上２２ａと本体下２２ｂの２つに分離可能に設けられ、本体部分を２つに分離して内部に溜まった水滴等を排出可能に設けられている。この時ねじ方式では１回転以内のねじりにより分離・結合が可能となるようにしてある。また、液だまり２２と第一の連結管２３との接続部、及び前記液だまり２２と第二の連結管２４との接続部から、それぞれ前記液だまり２２内に突き出た管部Ａ３０、管部Ｂ３１を設けるとともに、前記管部Ａ３０と管部Ｂ３１は、互いの管の中心軸をずらして設けてある。
【００３４】
一方、ヘッドセットユニット１３に設けた前記吐出口２１は、図１１に示す如く吐出口本体２１ａと蓋体２１ｂがバネラッチなどで開閉自在に構成され、その表面近傍の上流側に、除菌フィルターとしてハニカム基材に酵素を添着したバイオ除菌フィルター３４を、さらにその上流側に、高捕集効率フィルターとして抗菌材アメニトップのＨＥＰＡフィルター３５をそれぞれ有している。また、芳香剤を含浸した球状体４６を内蔵している。
【００３５】
そして、前記バイオ除菌フィルター３４は、キャッチした菌などの活動を抑制し、さらにウイルスの活動も抑制する。また前記抗菌材アメニトップのＨＥＰＡフィルター３５は、０．３ミクロン以上の粒子を９９．７％除去すると共に、抗菌材アメニトップの働きで捕集した菌、カビの活動を制御するものであり、更に球状体４６は吐出空気に香をつけるものである。
【００３６】
図２は、酸素富化機の他の例を示すもので、本体１とをつなぐ第二の連結管２４を座席に取り付けた座席取付けユニット５２を示すもので、ヘッドセットユニット１３と同様に使用者が酸素富化空気を吸引するための吐出口２１を有していると共に、折り曲げ自在に設けられた可橈性自在継手部５３とを備えている。
【００３７】
図１において、３２は操作制御ユニット５１に設けられた操作手段である運転スイッチであり、３３は、同じく操作制御ユニット５１に設けられ、選択されたタイマー（図示せず）による運転時間あるいは送風運転の通電状態を表示する表示手段である表示ランプであり、本体１の運転操作が運転スイッチ３２によって操作された時に点灯表示し、ＬＥＤなどで構成されてあり、本実施の形態では緑色に光るように構成してある。ＬＥＤなどの発光体の光によって本体１の運転操作が運転スイッチ３２によって操作されたかどうか明確に判別できるものである。
【００３８】
５０は、操作制御ユニット５１に設けられ、選択されたタイマーによる運転時間あるいは送風運転の通電状態を報知する報知手段である音・音声発生部であり、本体１の運転が運転スイッチ３２によって操作された時に発信音の後に音声にて選択された状態又は内容を報知するものである。本実施の形態では、運転スイッチ３２で１０分のタイマー運転が選択された場合、「ピー」という発信音の後に「１０分タイマー運転を開始します」という音声にて本体１の運転が運転スイッチ３２によって操作されたことを報知するようになっている。このように、本実施の形態によれば、音・音声発生部５０からの音と音声によって、本体１の運転操作が運転スイッチ３２によって操作されたか否かが明確に判別できるものである。
【００３９】
５５は、運転スイッチ３２を有する操作部６０の近傍に形成された、ジュース缶（図示せず）などの飲料用容器を保持する保持部で、本体１の運転操作が楽に操作できると共に飲料用容器を取り易い位置に置くことができる。
【００４０】
また、図１３は、操作制御ユニット５１の他の設置例を示すもので、操作制御ユニット５１を本体１から分離して配設したもので、５４は電源コードで、５６は操作制御ユニット５１と本体１を着脱自在に結線する配線ケーブルであり、配線ケーブル５６は、本体１及び／または操作制御ユニット５１との間で着脱自在に連結されている。なお、配線ケーブル５６の中間に別途接続部を設けてその部分で着脱自在に連結してもよい。
【００４１】
図１４は、操作制御手段である操作制御ユニット５１の更に他の設置例を示すもので、操作制御ユニット５１を本体１から分離すると共に、操作制御ユニット５１からの制御信号を伝達又は送受信する制御手段５７を本体１内に設けたものである。
【００４２】
図１５は、操作制御ユニット５１を本体１に着脱自在に装着できるように装着部５１ａを本体１に設けた例を示すものである。
【００４３】
次に、上記構成による酸素富化機の動作について説明する。
【００４４】
操作制御ユニット５１の運転スイッチ３２をＯＮ操作すると、ポンプ１０に動作電源を供給する制御手段（操作制御ユニット５１または制御手段５７）が動作し、通電状態を示す表示ランプ３３が点灯し、同時に音・音声発生部５０から音と音声が発せられると共に、タイマーで設定した時間に応じてポンプ１０が運転し、かつファン９が作動する。
【００４５】
そしてファン９の運転により本体１に設けた吸気口７より外気が吸引され、この外気は酸素富化膜ユニット２を通り、排気口８から本体外に排出される。一方、前記酸素富化膜ユニット２の周囲を外気が通過する際、ポンプ１０の運転によりその空気の一部が酸素富化膜ユニット２のフレーム３内に吸引され、その際酸素が通過しやすいところから酸素富化された空気となる。そしてこの酸素富化空気は吐出口部１２に送出され、当該吐出口部１２より吐出される。
【００４６】
上記吐出口部１２より吐出される酸素富化空気は、第一、第二の連結管２３、２４を経てヘッドセットユニット１３の吐出口２１より吐出される。したがって、使用者はヘッドセットユニット１３を頭部にセットし、可橈性自在継手部２９を動かして吐出口２１を使用者の口や鼻に近づけることにより、吐出口２１から吐出される酸素富化空気を、口や鼻から吸引できるようになる。
【００４７】
操作制御ユニット５１に、本体１の運転状態を報知する表示ランプ３３及び音・音声発生部５０を設けた構成としてあり、本体１の運転操作が運転スイッチ３２によって操作されると表示ランプ３３が点灯し、ＬＥＤなどの発光体の光によって本体１の運転操作が運転スイッチ３２によって操作されたかどうかを、車両の運転中であっても本体１を目視することなく明確に判別できるものである。
【００４８】
またそれと同時に「ピー」という発信音の後に例えば、「１０分タイマー運転を開始します」という音と音声にて本体１の運転操作が運転スイッチ３２によって操作されたかどうかその状態を報知するように構成してあるため、音・音声発生部５０からの音と音声によっても本体１の運転操作が運転スイッチ３２によって操作されたかどうか車両の運転中であっても明確に判別できるものである。
【００４９】
なお上記実施の形態では、報知手段として表示ランプ３３及び音・音声発生部５０の両方を設けた構成としてあるが、どちらか片方だけでもよく上記したような効果がそれぞれ得られ、本体１の運転状態を確実に知ることができる。特に、本実施の形態における表示ランプ３３はポンプ１０の作動状態を表示するようにしたのでポンプ１０やポンプ１０の運転回路系の故障や異常を的確に知ることができる。
【００５０】
また、本体１の前後方向を車両の前後方向と同一になるよう設置し、運転スイッチ３２を有する操作部６０を本体１の前部に配置したことにより、運転手は、車両を運転しながらの本体１の運転操作が楽にできるものである。
【００５１】
また運転スイッチ３２を有する操作部６０の高さを車両内の座席に設けられた肘掛部６１の高さと略同一にしているため、肘掛部６１に置いた腕の高さが本体１の運転操作を行う操作部６０の高さと略同一となり、手を伸ばせば楽に本体１の運転操作を行うことが出来、車両を運転しながらの本体１の運転操作が楽にできるものである。
【００５２】
更には、飲料用容器の保持部５５が運転スイッチ３２を有する操作部６０近傍に形成されている為、車両を運転しながらの本体１の運転操作が楽に操作できるのと同様に飲料用容器を取り易い位置に置くことができる。
【００５３】
なお、上記実施の形態において、酸素富化空気吐出手段として、使用者が頭部に装着するヘッドセットユニット１３や座席取り付けユニット５２を例示したが、これに限定されるものではなく、首部あるいは肩部にかけるタイプでも支障がなく、また腕の一部や胴体の一部にマジックテープ（登録商標）等で巻きつけるタイプでも支障がなく、さらにネクタイ等の衣服の一部にピン等で止めるタイプでも支障がなく、もちろん防塵マスクのように耳等を使って顔の一部を覆うタイプでも支障がないものである。
【００５４】
また上記実施の形態では、表示手段としての表示ランプ３３をＬＥＤで構成したがランプ等で構成してもよく、また、点灯ではなく輝度を変えたり点滅させるなどしてもよく、所期の目的を達成するものであればどのように構成してもよいものである。
【００５５】
また、図１３に示す如く、操作制御ユニット５１を本体１から分離して配設する事により、本体１から離れたところから本体１の運転、停止等の制御操作を行うことができるものであり、操作制御ユニット５１及び本体１を各々ユニット化して車両内の床面や座席、天井、前面パネル部等の各部に着脱自在に取り付けて使用することができる。
【００５６】
また、操作制御ユニット５１と本体１の間は着脱自在の配線ケーブル５６で電気的に接続するようにしているので、操作制御ユニット５１と本体１間の配線処理の作業を容易に行うことができる。
【００５７】
また、図１４に示す如く、本体１から分離して配設した操作制御ユニット５１からの制御信号を受ける制御手段５７を本体１内に別に設けることで、操作制御ユニット５１を小型化することができる。また本体１内の制御手段５７と、本体１から分離した操作制御ユニット５１をワイヤレスとし、本体１の運転、停止等の制御操作を本体１から離れて遠隔操作することができる。
【００５８】
また制御手段５７を、操作制御ユニット５１内に設けた構成あるいは、本体１及び操作制御ユニット５１内の両方に設けた構成でも同様に本体１の運転、停止等の制御操作を本体１から離れた遠隔操作とすることができる。
【００５９】
また、図１５に示すように、操作制御ユニット５１を本体１に着脱自在とすることで、操作制御ユニット５１を車両内の各部に着脱自在に取り付ける必要がなく、また放置されたままになる事も無い。
【００６０】
また、図１６は、酸素富化機の他の例を示すもので、本体１の前後方向を車両の前後方向と同一になるよう設置すると共に、運転スイッチ３２を有する操作部６０を本体１の後部に配置したもので、後部座席に座った使用者が本体１の運転操作を楽に行うことができるものである。
【産業上の利用可能性】
【００６１】
以上のように、本発明にかかる酸素富化機によれば、車両内で酸素富化機を使用する際に、車両の運転中でも、酸素富化機を見なくとも、報知手段で操作手段が操作されたことを明確に認識できるので、非常に使用勝手が良いもので、自動車、飛行機、電車などの各種乗り物で使用される酸素富化機に広く適用できるものである。
【図面の簡単な説明】
【００６２】
【図１】本発明の実施の形態１における酸素富化機を車両内に設置した状態を示す斜視図
【図２】酸素富化機の他の例を示す斜視図
【図３】同酸素富化機の断面図
【図４】同酸素富化機の背面からみた断面図
【図５】同酸素富化機の天面からみた断面図
【図６】同酸素富化機のポンプの取付け部を示す要部断面図
【図７】（ａ）同酸素富化機の本体の正面図（ｂ）同本体の側面図（ｃ）同本体の背面図（ｄ）同本体の平面図
【図８】同酸素富化機の酸素富化膜ユニットを構成するモジュールの分解斜視図
【図９】（ａ）同モジュールを複数枚並べた状態の外観斜視図（ｂ）同モジュールで構成される酸素富化膜ユニットの外観斜視図
【図１０】同酸素富化機のヘッドセットユニットを示す外観斜視図
【図１１】同ヘッドセットユニットの吐出口の拡大断面図
【図１２】同酸素富化機の酸素富化空気の供給経路の要部を示す概略構成図
【図１３】酸素富化機の操作制御ユニットの他の設置例を示す斜視図
【図１４】酸素富化機の操作制御ユニットのさらに他の設置例を示す斜視図
【図１５】酸素富化機の本体の他の例を示す斜視図
【図１６】（ａ）酸素富化機の本体の他の例を示す正面図（ｂ）同本体の側面図（ｃ）同本体の背面図（ｄ）同本体の平面図
【符号の説明】
【００６３】
１  本体
２  酸素富化膜ユニット（酸素富化手段）
４  酸素富化膜
９  ファン（送風部）
１０  ポンプ（吸引手段）
１２  吐出口部
１３  ヘッドセットユニット（酸素富化空気吐出手段）
２３  第一の連結管
２４  第二の連結管
３２  運転スイッチ（操作手段）
３３  表示ランプ（表示手段）
５０  音・音声発生手段（報知手段）
５２  座席取付ユニット（酸素富化空気吐出手段）
【図１】
2006122076.tif 000003
【図２】
2006122076.tif 000004
【図３】
2006122076.tif 000005
【図４】
2006122076.tif 000006
【図５】
2006122076.tif 000007
【図６】
2006122076.tif 000008
【図７】
2006122076.tif 000009
【図８】
2006122076.tif 000010
【図９】
2006122076.tif 000011
【図１０】
2006122076.tif 000012
【図１１】
2006122076.tif 000013
【図１２】
2006122076.tif 000014
【図１３】
2006122076.tif 000015
【図１４】
2006122076.tif 000016
【図１５】
2006122076.tif 000017
【図１６】
2006122076.tif 000018